(57)【特許請求の範囲】
【請求項１】
水平面上で直交する一方の方向を前後方向とし、他方の方向を左右方向とし、内部に媒体を収納する媒体収納庫において、
上下方向に高低差を付けて配置された上方平坦面と下方平坦面とを備え、かつ、前記媒体を下から支持するロアガイドと、
前記媒体の左右方向の位置を規制するサイドガイドとを有し、
前記ロアガイドの前記下方平坦面には、前記サイドガイドの左右方向の位置を調整するための複数個の調整用孔と、前記サイドガイドを引っ掛けるための１乃至複数個の引っ掛け孔とが形成されており、
前記調整用孔は、前後方向に延在するとともに、左右方向に平行に並ぶように、前記ロアガイドに形成されており、
前記引っ掛け孔は、左右方向に延在するように、前記ロアガイドに形成されており、
前記サイドガイドは、前記調整用孔に係合する突起部と、前記引っ掛け孔に係合する鉤状のフック部とを下面に備え、かつ、前記突起部が前記調整用孔に係合した状態で、前記フック部が前記引っ掛け孔に係合することによって、前記下方平坦面の上に取り付けられる
ことを特徴とする媒体収納庫。
【請求項２】
請求項１に記載の媒体収納庫において、
前記サイドガイドは、水平方向に延在する水平部と当該水平部から垂直方向に突出する垂直部とを備えており、
前記水平部の上面から下面までの厚さは、前記上方平坦面と前記下方平坦面との高低差と同等の厚さになっており、
前記突起部及び前記フック部は、前記水平部の下面から下方に突出するように形成されている
ことを特徴とする媒体収納庫。
【請求項３】
請求項２に記載の媒体収納庫において、
前記水平部の上面には、前記媒体との摩擦を軽減するための段差部が形成されている
ことを特徴とする媒体収納庫。
【請求項４】
請求項１乃至請求項３のいずれか一項に記載の媒体収納庫において、
前記ロアガイドの前記引っ掛け孔の周囲には、前記下方平坦面の強度を補強するための補強部が、前記下方平坦面から上方向に突出するように形成されており、
前記サイドガイドの前記フック部の内側部分には、前記補強部を受け入れるための切欠部が形成されている
ことを特徴とする媒体収納庫。
【請求項５】
水平面上で直交する一方の方向を前後方向とし、他方の方向を左右方向とし、内部に媒体を収納する媒体収納庫において、
前記媒体を下から支持するロアガイドと、
前記媒体の左右方向の位置を規制するサイドガイドとを有し、
前記ロアガイドには、前記サイドガイドの左右方向の位置を調整するための複数個の調整用孔と、前記サイドガイドを引っ掛けるための１乃至複数個の引っ掛け孔とが形成されており、
前記調整用孔は、前後方向に延在するとともに、左右方向に平行に並ぶように、前記ロアガイドに形成されており、
前記引っ掛け孔は、左右方向に延在するように、前記ロアガイドに形成されており、
前記サイドガイドは、前記調整用孔に係合する突起部と、前記引っ掛け孔に係合する鉤状のフック部とを下面に備え、
前記サイドガイドは、上下方向に回動する回動部を前端部及び後端部のいずれか一方又は双方に備えており、
当該媒体収納庫の下側を構成する容器部又は前記ロアガイドは、前記回動部の先端に形成された先端面に突き当たる突当部を備えている
ことを特徴とする媒体収納庫。
【請求項６】
媒体を取り扱う媒体取扱装置であって、
請求項１乃至請求項５のいずれか一項に記載の媒体収納庫を搭載するとともに、前記媒体を搬送する搬送機構を有する
ことを特徴とする媒体取扱装置。
【請求項７】
水平面上で直交する一方の方向を前後方向とし、他方の方向を左右方向とし、上下方向に高低差を付けて配置された上方平坦面と下方平坦面とを備え、かつ、媒体を下から支持するロアガイドと、前記媒体の左右方向の位置を規制するサイドガイドとを有し、前記サイドガイドの左右方向の位置を調整可能なサイドガイド調整機構であって、
前記ロアガイドの前記下方平坦面には、前記サイドガイドの左右方向の位置を調整するための複数個の調整用孔と、前記サイドガイドを引っ掛けるための１乃至複数個の引っ掛け孔とが形成されており、
前記調整用孔は、前後方向に延在するとともに、左右方向に平行に並ぶように、前記ロアガイドに形成されており、
前記引っ掛け孔は、左右方向に延在するように、前記ロアガイドに形成されており、
前記サイドガイドは、前記調整用孔に係合する突起部と、前記引っ掛け孔に係合する鉤状のフック部とを下面に備え、かつ、前記突起部が前記調整用孔に係合した状態で、前記フック部が前記引っ掛け孔に係合することによって、前記下方平坦面の上に取り付けられる
ことを特徴とするサイドガイド調整機構。
【発明の詳細な説明】
【技術分野】
【０００１】
本発明は、工具を用いることなく、サイドガイドの位置の調整や取り付けを容易に行うことができる媒体収納庫、当該媒体収納庫を搭載する媒体取扱装置、及び、当該媒体収納庫に適用可能なサイドガイド調整機構に関する。
【背景技術】
【０００２】
従来、媒体を取り扱う媒体取扱装置の一種として、現金を取り扱う現金取扱装置がある。現金取扱装置の内部には、媒体収納庫が搭載されている。媒体収納庫は、内部に紙葉状の媒体を収納する箱型の収納庫である。媒体収納庫は、装置から取り外した状態で運搬することができるように、現金取扱装置に対して取り付け及び取り外しが自在なカセットユニットとして構成されている場合が多い。
【０００３】
このような媒体収納庫は、媒体（紙幣）を現金取扱装置の搬送路に安定して繰り出すことができるように、内部の左右方向のセンタ付近に媒体（紙幣）を配置させることが望ましい。そのため、媒体収納庫の多くは、センタ付近に媒体（紙幣）を配置させることができるように、媒体（紙幣）の横方向の位置を調整するサイドガイド調整機構を有している。その一例として、例えば、特許文献１には、可動する仕切板により仕切られる集積空間の幅を調整する機構が記載されている。
【先行技術文献】
【特許文献】
【０００４】
【特許文献１】特開２０１４−１４２７７９号公報
【発明の概要】
【発明が解決しようとする課題】
【０００５】
しかしながら、従来の媒体収納庫は、以下に説明するように、工具を用いることなく、サイドガイドの位置の調整や取り付けを容易に行うことができることが望まれている、という課題があった。
【０００６】
一般に、媒体収納庫は、保守員だけでなく、銀行員や警送員等の装置に関する知識のない人物も触れることがある。そのため、媒体収納庫は、サイドガイドの位置の調整や取り付けを行う構成を可能な限り簡略化し、サイドガイドの位置の調整や取り付けの作業時間を短縮したり、サイドガイドの取り付けミスを低減したりすることが好ましい。
【０００７】
しかしながら、従来の媒体収納庫は、蓋部の内側からねじ等の固定部材でサイドガイドを取り付ける構成になっている。そのため、従来の媒体収納庫は、サイドガイドの位置の調整や取り付けを行うためには、まず、蓋部を開け、その状態でねじ等の固定部材を取り除き、次に、サイドガイドの位置を調整しながら、ねじ等の固定部材でサイドガイドを取り付け、その後に、蓋部を閉じる作業を行う必要があった。このような従来の媒体収納庫は、サイドガイドの位置の調整や取り付けの作業効率が悪かった。そのため、従来の媒体収納庫は、工具を用いることなく、サイドガイドの位置の調整や取り付けを容易に行うことができることが望まれていた。
【０００８】
本発明は、前記した課題を解決するためになされたものであり、工具を用いることなく、サイドガイドの位置の調整や取り付けを容易に行うことができる媒体収納庫、当該媒体収納庫を搭載する媒体取扱装置、及び、当該媒体収納庫に適用可能なサイドガイド調整機構を提供することを主な目的とする。
【課題を解決するための手段】
【０００９】
前記目的を達成するため、第１発明は、水平面上で直交する一方の方向を前後方向とし、他方の方向を左右方向とし、内部に媒体を収納する媒体収納庫において、上下方向に高低差を付けて配置された上方平坦面と下方平坦面とを備え、かつ、前記媒体を下から支持するロアガイドと、前記媒体の左右方向の位置を規制するサイドガイドとを有し、前記ロアガイドの前記下方平坦面には、前記サイドガイドの左右方向の位置を調整するための複数個の調整用孔と、前記サイドガイドを引っ掛けるための１乃至複数個の引っ掛け孔とが形成されており、前記調整用孔は、前後方向に延在するとともに、左右方向に平行に並ぶように、前記ロアガイドに形成されており、前記引っ掛け孔は、左右方向に延在するように、前記ロアガイドに形成されており、前記サイドガイドは、前記調整用孔に係合する突起部と、前記引っ掛け孔に係合する鉤状のフック部とを下面に備え、かつ、前記突起部が前記調整用孔に係合した状態で、前記フック部が前記引っ掛け孔に係合することによって、前記下方平坦面の上に取り付けられる構成とする。
また、第２発明は、水平面上で直交する一方の方向を前後方向とし、他方の方向を左右方向とし、内部に媒体を収納する媒体収納庫において、前記媒体を下から支持するロアガイドと、前記媒体の左右方向の位置を規制するサイドガイドとを有し、前記ロアガイドには、前記サイドガイドの左右方向の位置を調整するための複数個の調整用孔と、前記サイドガイドを引っ掛けるための１乃至複数個の引っ掛け孔とが形成されており、前記調整用孔は、前後方向に延在するとともに、左右方向に平行に並ぶように、前記ロアガイドに形成されており、前記引っ掛け孔は、左右方向に延在するように、前記ロアガイドに形成されており、前記サイドガイドは、前記調整用孔に係合する突起部と、前記引っ掛け孔に係合する鉤状のフック部とを下面に備え、前記サイドガイドは、上下方向に回動する回動部を前端部及び後端部のいずれか一方又は双方に備えており、当該媒体収納庫の下側を構成する容器部又は前記ロアガイドは、前記回動部の先端に形成された先端面に突き当たる突当部を備えている構成とする。
【００１０】
これらの媒体収納庫では、サイドガイドの左右方向の位置の調整時に、作業者は、媒体収納庫に収納される媒体のサイズに応じて、サイドガイドの突起部に係合させる調整用孔を複数個の中から選択し、サイドガイドの突起部を選択された調整用孔の中に挿入させる。そして、作業者は、その状態で、サイドガイドを前後方向に摺動させる。このとき、サイドガイドのフック部がロアガイドの引っ掛け孔と係合する。これによって、サイドガイドは、ロアガイドに強固に取り付けられる。
【００１１】
これらの媒体収納庫は、サイドガイドの突起部に係合させる調整用孔を複数個の中から選択することによって、サイドガイドの左右方向の位置を容易に調整（変更）することができる。また、これらの媒体収納庫は、工具を用いることなく、サイドガイドを前後方向に摺動させるだけで、サイドガイドをロアガイドに容易に取り付けることができる。
【００１２】
また、第３発明は、媒体を取り扱う媒体取扱装置であって、第１発明又は第２発明に係る媒体収納庫を搭載するとともに、前記媒体を搬送する搬送機構を有する構成とする。
【００１３】
また、第４発明は、水平面上で直交する一方の方向を前後方向とし、他方の方向を左右方向とし、上下方向に高低差を付けて配置された上方平坦面と下方平坦面とを備え、かつ、媒体を下から支持するロアガイドと、前記媒体の左右方向の位置を規制するサイドガイドとを有し、前記サイドガイドの左右方向の位置を調整可能なサイドガイド調整機構であって、前記ロアガイドの前記下方平坦面には、前記サイドガイドの左右方向の位置を調整するための複数個の調整用孔と、前記サイドガイドを引っ掛けるための１乃至複数個の引っ掛け孔とが形成されており、前記調整用孔は、前後方向に延在するとともに、左右方向に平行に並ぶように、前記ロアガイドに形成されており、前記引っ掛け孔は、左右方向に延在するように、前記ロアガイドに形成されており、前記サイドガイドは、前記調整用孔に係合する突起部と、前記引っ掛け孔に係合する鉤状のフック部とを下面に備え、かつ、前記突起部が前記調整用孔に係合した状態で、前記フック部が前記引っ掛け孔に係合することによって、前記下方平坦面の上に取り付けられる構成とする。
【００１４】
なお、第１発明及び第２発明は、ロアガイドとサイドガイドとアッパーガイドとで媒体を収容する収納空間を構成する媒体収納庫であって、前記ロアガイド及び当該ロアガイドを支持する部位のいずれか一方又は双方は、前記サイドガイドの左右方向の位置を規制する左右方向規制部と、前記サイドガイドの上下方向の位置を規制する上下方向規制部と、前記サイドガイドの前後方向の位置を規制する前後方向規制部とを備えており、前記サイドガイドは、前記左右方向規制部に係合する左右方向係合部と、前記上下方向規制部に係合する上下方向係合部と、前記前後方向規制部に係合する前後方向係合部とを備えている構成としてもよい。
【発明の効果】
【００１５】
第１発明及び第２発明によれば、工具を用いることなく、サイドガイドの位置の調整や取り付けを容易に行うことができる媒体収納庫を提供することができる。
また、第３発明によれば、第１発明又は第２発明に係る媒体収納庫を搭載する媒体取扱装置を提供することができる。
また、第４発明によれば、第１発明に係る媒体収納庫に適用可能なサイドガイド調整機構を提供することができる。
【図面の簡単な説明】
【００１６】
【図１】実施形態に係る媒体収納庫を搭載する媒体取扱装置の構成を示す図である。
【図２】実施形態に係る媒体収納庫の外部の構成を示す図である。
【図３】実施形態に係る媒体収納庫の内部の構成を示す図である。
【図４】実施形態で用いるサイドガイド調整機構の全体の構成を示す図（１）である。
【図５】実施形態で用いるサイドガイド調整機構の全体の構成を示す図（２）である。
【図６】実施形態で用いるサイドガイド調整機構の全体の構成を示す図（３）である。
【図７】実施形態で用いるサイドガイド調整機構のロアガイドの構成を示す図（１）である。
【図８】実施形態で用いるサイドガイド調整機構のロアガイドの構成を示す図（２）である。
【図９】実施形態で用いるサイドガイド調整機構のサイドガイドの構成を示す図（１）である。
【図１０】実施形態で用いるサイドガイド調整機構のサイドガイドの構成を示す図（２）である。
【図１１】実施形態で用いるサイドガイド調整機構のサイドガイドの端部の構成を示す図である。
【図１２】変形例に係るロアガイドの構成を示す図である。
【発明を実施するための形態】
【００１７】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１８】
なお、ここでは、「前」、「後」、「右」、及び、「左」の各方向は、本実施形態に係る媒体収納庫１１を取り扱う作業者が図４に示す媒体収納庫１１を見たときの方向を意味している。各方向は、媒体収納庫１１の運用に応じて適宜変更することができる。また、以下、「右」側に配置された構成要素と「左」側に配置された構成要素とを区別する場合に、各構成要素に与えられた符号の末尾に、「右」側を表す英文字「Ｒ」、又は、「左」側を表す英文字英文字「Ｌ」を付して説明する。
【００１９】
＜媒体収納庫を搭載する媒体取扱装置の構成＞
以下、図１を参照して、本実施形態に係る媒体収納庫１１を搭載する媒体取扱装置１の構成につき説明する。図１は、媒体取扱装置１の構成を示す図である。
【００２０】
媒体取扱装置１は、例えば、キャッシュディスペンサ（ＣＤ）や現金自動預け払い機（ＡＴＭ）等である。ここでは、媒体取扱装置１がキャッシュディスペンサ（ＣＤ）である場合を想定して説明する。また、媒体が紙幣であるものとして説明する。
【００２１】
図１に示すように、媒体取扱装置１は、紙幣を収納する収納ユニット２、及び、紙幣の束を搬送する束搬送ユニット３を有している。収納ユニット２は、搬送路８、媒体収納庫１１、鑑別部１２、集積部１３、リジェクト収納庫１５、取り込み収納庫１６、出金口１７、及び、シャッタ１８を備えている。また、束搬送ユニット３は、搬送機構４として、上ベルト５ａ、下ベルト５ｂ、ラッセル板６、及び、可動搬送ベルト７を備えている。
【００２２】
搬送路８は、紙幣が搬送される通路である。搬送路８の周囲には、紙幣を搬送する搬送機構（図示せず）が配置されている。
媒体収納庫１１は、紙幣を収納する収納庫である。
鑑別部１２は、紙幣の金種や枚数、出金の可否等を鑑別する装置である。
集積部１３は、媒体収納庫１１から搬送された紙幣を集積する部位である。
リジェクト収納庫１５は、媒体収納庫１１から搬送された紙幣が鑑別部１２で出金に適さないと鑑別された紙幣（リジェクト紙幣）を収納する収納庫である。
取り込み収納庫１６は、出金口１７に一定時間以上取り残されている紙幣を収納する収納庫である。
出金口１７は、紙幣が媒体取扱装置１の外部へ放出される部位である。
シャッタ１８は、出金口１７を選択的に開放又は閉鎖する部材である。
【００２３】
上ベルト５ａ及び下ベルト５ｂは、紙幣を上下方向から挟み込んで搬送する部材である。
ラッセル板６は、紙幣の後端よりも後方の位置から前方向に移動することによって、紙幣を前方向に押圧する部材である。
可動搬送ベルト７は、紙幣を搬送するとともに、前後方向に移動することによって、集積部１３の上方に設けられた開口部１３ｏｐと取り込み収納庫１６の上方に設けられた開口部１６ｏｐとを選択的に開放又は閉鎖する部材である。
【００２４】
媒体取扱装置１は、紙幣の搬送ルートとして、出金ルート２１、リジェクトルート２２、集積ルート２３、放出ルート２４、及び、取り込みルート２９を備えている。
出金ルート２１は、各媒体収納庫１１から出金口１７までを結ぶルートである。
リジェクトルート２２は、集積部１３とリジェクト収納庫１５との間の位置からリジェクト収納庫１５までを結ぶルートである。
集積ルート２３は、集積部１３とリジェクト収納庫１５との間の位置から集積部１３までを結ぶルートである。
放出ルート２４は、上ベルト５ａと下ベルト５ｂとの間の位置から出金口１７までを結ぶルートである。
取り込みルート２９は、出金口１７から取り込み収納庫１６までを結ぶルートである。
【００２５】
本実施形態では、媒体取扱装置１は、４つの媒体収納庫１１を搭載している。以下、４つの媒体収納庫１１を区別する場合に、上から順番に、「媒体収納庫１１ａ，１１ｂ，１１ｃ，１１ｄ」と称する。
【００２６】
ここでは、媒体収納庫１１が「横型の媒体収納庫」である場合を想定して説明する。ここで、「横型の媒体収納庫」とは、紙幣の短手方向側辺（又は長手方向側辺）を上下方向に起立させた状態で、紙幣を前後方向に重ねて収納する構成になっている媒体収納庫を意味している。
【００２７】
また、本実施形態では、リジェクト収納庫１５及び取り込み収納庫１６は、単一の収納庫によって構成されている。つまり、媒体取扱装置１は、単一の収納庫の内部を２つの空間に分割し、一方の空間をリジェクト収納庫１５とし、他方の空間を取り込み収納庫１６として用いている。
【００２８】
また、本実施形態では、集積部１３及びリジェクト収納庫１５は、隣接して配置されている。搬送路８は、最下段の媒体収納庫１１ｄの後方の位置から、媒体収納庫１１ｃ，１１ｂ，１１ａの後方、及び、鑑別部１２の内部を通って、集積部１３とリジェクト収納庫１５との間の位置に達するように形成されている。搬送路８は、集積部１３とリジェクト収納庫１５との間の位置で集積部１３側とリジェクト収納庫１５側とに分岐している。
【００２９】
また、上ベルト５ａ及び下ベルト５ｂは、図示せぬ駆動機構によって駆動されて走行する。同様に、ラッセル板６及び可動搬送ベルト７も、図示せぬ駆動機構によって駆動されて移動する。これらの部材を駆動する駆動機構の駆動源は、同一のものであってもよいし、異なるものであってもよい。
【００３０】
上ベルト５ａ及び可動搬送ベルト７は、上下方向に対向配置されており、互いの対向部分が密着するように配置されている。また、上ベルト５ａ及び下ベルト５ｂは、上下方向に対向配置されており、互いの対向部分が密着するように配置されている。一方、ラッセル板６及び可動搬送ベルト７は、ラッセル板６又は可動搬送ベルト７が移動しても互いに衝突しないように、互いを避ける形状に形成されている。
【００３１】
上ベルト５ａの長さは、可動搬送ベルト７と下ベルト５ｂとの合計の長さよりも長くなっている。上ベルト５ａは、媒体取引装置１の前端付近と後端付近とに設けられた一組のローラ対によって張架されている。上ベルト５ａを張架するローラ対のいずれか一方のローラは、回転駆動して上ベルト５ａを走行させる駆動ローラとなっており、また、他方のローラは、上ベルト５ａの走行に従動して回転する従動ローラとなっている。一方、可動搬送ベルト７は、媒体取引装置１の前側と後側とに設けられた一組のローラ対によって張架されている。ここでは、可動搬送ベルト７を張架するローラ対のいずれか一方のローラが駆動ローラとなっており、他方のローラが従動ローラとなっている場合を想定して説明する。ただし、可動搬送ベルト７を張架するローラ対の双方のローラは従動ローラにしてもよい。また、下ベルト５ｂは、媒体取引装置１の前端付近と開口部１６ｏｐの手前付近とに設けられた一組のローラ対によって張架されている。ここでは、下ベルト５ｂを張架するローラ対のいずれか一方のローラが駆動ローラとなっており、他方のローラが従動ローラとなっている場合を想定して説明する。ただし、下ベルト５ｂを張架するローラ対の双方のローラは従動ローラにしてもよい。
【００３２】
かかる構成において、媒体取扱装置１は、出金時に、以下のように動作する。
まず、媒体取扱装置１は、操作者からの指示に応じて、任意の金種の紙幣を該当金種の媒体収納庫１１の中から搬送路８に順次繰り出し、繰り出した紙幣を鑑別部１２で鑑別しながら、出金ルート２１に沿って、集積部１３とリジェクト収納庫１５との間の位置まで搬送する。
【００３３】
この後、媒体取扱装置１は、鑑別部１２で出金に適さないと鑑別された紙幣（リジェクト紙幣）を、リジェクトルート２２に沿ってリジェクト収納庫１５側に搬送して、リジェクト収納庫１５の内部に収納する。また、媒体取扱装置１は、鑑別部１２で出金してもよいと鑑別された紙幣を、集積ルート２３に沿って集積部１３側に搬送して、集積部１３の内部に収納する。
【００３４】
集積部１３の内部には、紙幣が集積されるステージ１４が配置されている。媒体取扱装置１は、任意の枚数の紙幣の束が集積されると、ステージ１４を上昇させる。このとき、可動搬送ベルト７は、ステージ１４の上昇に合わせて開口部１３ｏｐを開放する位置に移動する。また、ラッセル板６は、紙幣に衝突しない位置に退避している。
【００３５】
媒体取扱装置１は、ステージ１４を上昇させると、紙幣の後端よりも後方に位置させておいたラッセル板６を、ステージ１４の上に集積されている紙幣の束が前方向に移動するように、上ベルト５ａ及び下ベルト５ｂを走行させるとともに、ラッセル板６を紙幣の後端よりも後方の位置から前方向に移動させる。これにより、媒体取扱装置１は、ラッセル板６で紙幣の束を前方向に押圧しながら、上ベルト５ａ及び可動搬送ベルト７の搬送機構、並びに、上ベルト５ａ及び下ベルト５ｂの搬送機構で紙幣の束を放出ルート２４に沿って前方向に搬送する。
【００３６】
このとき、紙幣の束は、ステージ１４の上から可動搬送ベルト７の上に移動する。そして、紙幣の束は、上ベルト５ａと可動搬送ベルト７との間を通過した後、上ベルト５ａと下ベルト５ｂとの間を通過して、出金口１７の近傍の位置まで搬送される。
【００３７】
媒体取扱装置１は、紙幣の束を出金口１７の近傍の位置まで搬送すると、シャッタ１８を開放するとともに、上ベルト５ａ及び下ベルト５ｂを走行させる。これにより、媒体取扱装置１は、紙幣の束を前方向に搬送する。その結果、紙幣の束の一部分が、出金口１７から外に突出した状態になる。これにより、顧客は、媒体取扱装置１から紙幣の束を受け取ることができる。
【００３８】
媒体取扱装置１は、顧客が紙幣の束を受け取ったことを検知すると、シャッタ１８を閉鎖して、次の取引に対応可能な状態になる。
ただし、媒体取扱装置１は、顧客が紙幣の束を受け取らずに、紙幣の束が出金口１７に一定時間以上取り残されたときに、可動搬送ベルト７を後方に移動させて、開口部１６ｏｐを開放させるとともに、紙幣の束が後方向に移動するように、上ベルト５ａ及び下ベルト５ｂを走行させる。これにより、媒体取扱装置１は、取り込みルート２９に沿って、紙幣の束を装置の内部に取り込み、取り込まれた紙幣を取り込み収納庫１６の内部に収納する。この後、媒体取扱装置１は、シャッタ１８を閉鎖して、次の取引に対応可能な状態になる。
【００３９】
＜媒体収納庫の外部の構成＞
以下、図２を参照して、媒体収納庫１１の外部の構成につき説明する。図２は、媒体収納庫１１の外部の構成を示す図である。媒体収納庫１１は、内部に紙葉状の媒体（ここでは、紙幣）を収納する箱型の収納庫である。
【００４０】
図２に示すように、媒体収納庫１１の筺体３１は、箱状に形成されている。その筺体３１は、蓋部３２と容器部３３とを備えている。蓋部３２は、筺体３１の上側を構成する上部材であり、容器部３３の上部分を覆っている。容器部３３は、筺体３１の下側を構成する下部材であり、内部に媒体（ここでは、紙幣）を収容している。
【００４１】
蓋部３２は、回動支点３５によって回動自在に容器部３３に取り付けられている。蓋部３２は、回動支点３５を中心にして、矢印Ａ１の方向に回動することにより開き、また、矢印Ａ２の方向に回動することにより閉じる。なお、図２に示す例では、媒体収納庫１１は、前面に、作業者によって把持される取っ手３４を備えている。
【００４２】
＜媒体収納庫の内部の構成＞
以下、図３を参照して、媒体収納庫１１の内部の構成につき説明する。図３は、媒体収納庫１１の内部の構成を示す図である。図３は、媒体収納庫１１の筺体３１を図２に示すＸ１−Ｘ１線に沿って切断して得られる断面の形状を示している。
【００４３】
図３に示すように、媒体収納庫１１の内部は、媒体収納庫１１のセンタＣＬを中心にして、左右対称な構成になっている。媒体収納庫１１は、内部に、紙幣を収納する空間（以下、「収納空間」と称する）ＳＰを備えている。また、媒体収納庫１１は、収容部３３の内部の底に、収納空間ＳＰの底を構成する平坦面３６を備えている。平坦面３６は、媒体（紙幣）を円滑に走行させるために形成されている。以下、平坦面３６を「媒体走行面３６」と称する。
【００４４】
媒体収納庫１１は、内部に、ロアガイド４１、サイドガイド５１、及び、アッパーガイド６１を備えている。
ロアガイド４１は、収納空間ＳＰの底に配置され、かつ、収納空間ＳＰの内部に収納される紙幣を下から支持するガイド部材である。ロアガイド４１は、樹脂材によって形成することが可能であるが、好ましくは、一定以上の強度を確保するために、金属材によって構成されているとよい。
サイドガイド５１は、収納空間ＳＰの横に配置され、かつ、収納空間ＳＰの内部に収納される紙幣の左右方向の位置を規定するガイド部材である。サイドガイド５１は、樹脂材又は金属材によって構成されている。
アッパーガイド６１は、収納空間ＳＰの上方に配置され、かつ、紙幣の上下方向の位置を規定するガイド部材である。アッパーガイド６１は、樹脂材又は金属材によって構成されている。
【００４５】
ロアガイド４１、サイドガイド５１、及び、アッパーガイド６１は、収納空間ＳＰのサイズを規定している。本実施形態では、２つのロアガイド４１Ｒ，４１Ｌ、２つのサイドガイド５１Ｒ，５１Ｌ、及び、２つのアッパーガイド６１Ｒ，６１Ｌが、それぞれ、センタＣＬの右側と左側とに配置されている。ただし、ロアガイド４１Ｒ，４１Ｌは、一体の部材として構成することができる。
【００４６】
本実施形態では、２つのロアガイド４１Ｒ，４１Ｌが、媒体走行面３６よりも上に突出しないように、収納空間ＳＰの底に固定設置されている。そして、右側のサイドガイド５１Ｒが、収納空間ＳＰの右側を規制するように、右側のロアガイド４１Ｒの後記する下方平坦面４３ａ（図７（ａ）参照）の上に取り付けられている。また、左側のサイドガイド５１Ｌが、収納空間ＳＰの左側を規制するように、左側のロアガイド４１Ｌの後記する下方平坦面４３ａ（図７（ａ）参照）の上に取り付けられている。
【００４７】
右側のサイドガイド５１Ｒは、後記するように、右側のロアガイド４１Ｒに対して取り付け及び取り外しが容易な構成になっている。同様に、左側のサイドガイド５１Ｌは、左側のロアガイド４１Ｒに対して取り付け及び取り外しが容易な構成になっている。
【００４８】
媒体収納庫１１は、サイドガイド５１Ｒ，５１Ｌの左右方向の位置を調整（変更）可能なサイドガイド調整機構４０を有している。サイドガイド調整機構４０の詳細については、後記する。
【００４９】
また、媒体収納庫１１の内部の収納空間ＳＰの上方には、アッパーガイド６１を上下方向に配置可能な空間が確保されている。媒体収納庫１１は、異なる長さの図示せぬ固定部材を用いることにより、アッパーガイド６１の上下方向の位置を適宜変更することができる。
【００５０】
このような媒体収納庫１１は、収納空間ＳＰの内部に収納される紙幣のサイズに合わせて、２つのサイドガイド５１Ｒ，５１Ｌの左右方向の位置、及び、２つのアッパーガイド６１Ｒ，６１Ｌの上下方向の位置を調整（変更）することが可能な構成になっている。
【００５１】
容器部３３は、収納空間ＳＰの内部に、紙幣の短手方向側辺を上下方向に起立させた状態で、多数枚の紙幣を前後方向に重ねて収納する構成になっている。容器部３３は、内部に、押板３８（図４参照）及び分離部３９（図４参照）を備えている。押板３８は、紙幣を分離部３９の方向に押圧する板状の部材である。分離部３９は、出金時に、多数枚の紙幣を１枚ずつに分離する機構である。押板３８は、紙幣の前方に配置されており、一方、分離部３９は、紙幣の後方に配置されている。
【００５２】
押板３８は、図示せぬ付勢部材によって付勢されており、収納部ＳＰに収納された各紙幣とともに分離部３９の方向に移動する。分離部３９は、押板３８とともに移動してきた各紙幣を１枚ずつに分離して、図示せぬ開口部を介して搬送路８（図１参照）に繰り出す。図示せぬ開口部は、容器部３３の後端部分の下方付近に形成されている。
【００５３】
図４に示す例では、押板３８は、略Ｔ字状の形状を呈している。そして、押板３８は、右側のサイドガイド５１Ｒの上、２つのサイドガイド５１，４１Ｌの間、及び、左側のサイドガイド５１Ｌの上に亘って延在するように配置されている。このような押板３８は、図示せぬ付勢部材によって付勢されて分離部３９の方向に向かって移動するときも、サイドガイド５１，４１Ｌに衝突することなく、移動することができる。
【００５４】
＜サイドガイド調整機構の全体の構成＞
以下、図４〜図６を参照して、サイドガイド調整機構４０の全体の構成につき説明する。図４〜図６は、それぞれ、サイドガイド調整機構４０の全体の構成を示す図である。図４は、右斜め上方向から見たサイドガイド調整機構４０の構成を示している。図５は、上方向から見たサイドガイド調整機構４０の構成を示している。図６は、右方向から見たサイドガイド調整機構４０の構成を示している。なお、図５及び図６では、図４に示す押板３８及び分離部３９を省略して示している。
【００５５】
図４〜図６に示すように、サイドガイド調整機構４０は、複数個の調整用孔４４と１乃至複数個の引っ掛け孔４５とがロアガイド４１に形成されており、また、突起部５４（図１０（ｂ）参照）と鉤状のフック部５５（図１０（ｂ）参照）とがサイドガイド５１の下面５２ｂに形成された構成になっている。
【００５６】
「調整用孔４４」は、サイドガイド５１の左右方向の位置を調整するための孔である。調整用孔４４は、前後方向に延在するとともに、左右方向に平行に並ぶように、ロアガイド４１の後記する下方平坦部４３（図８（ｂ）参照）に複数個形成されている。
「引っ掛け孔４５」は、サイドガイド５１を引っ掛けるための孔である。引っ掛け孔４５は、左右方向に延在するように、ロアガイド４１の後記する下方平坦部４３（図８（ｂ）参照）に１乃至複数個形成されている。
「突起部５４」は、調整用孔４４に係合させるための部位である。突起部５４は、前後方向に延在するとともに、サイドガイド５１の下面５２ｂから下方に突出するように、下面５２ｂに１乃至複数個形成されている（図１０（ｂ）参照）。
「フック部５５」は、引っ掛け孔４５（厳密には、引っ掛け孔４５の周囲）に係合させるための部位である。フック部５５は、左右方向に延在するとともに、サイドガイド５１の下面５２ｂから下方に鉤状に突出するように、下面５２ｂに１乃至複数個形成されている（図１０（ｂ）参照）。
【００５７】
本実施形態では、「調整用孔４４」は、下方平坦部４３の上面４３ａから下面４３ｂに貫通するように形成されている（図８（ｂ）参照）。ただし、「調整用孔４４」は、下方平坦部４３の厚さがサイドガイド５１を十分に保持するだけの厚さになっている場合に、下方平坦部４３の上面４３ａから下面４３ｂに貫通しないように形成することができる。
【００５８】
ここでは、収納空間ＳＰに収納されることが予想される紙幣のサイズに応じて、例えば、２行９列の合計１８個の調整用孔４４（図８（ａ）参照）がロアガイド４１に形成されているものとして説明する。また、２行２列の合計４個の突起部５４（図１０（ｃ）参照）がサイドガイド５１の下面５２ｂに形成されているものとして説明する。
【００５９】
各調整用孔４４の左右方向の間隔は、各突起部５４の左右方向の間隔に合わせて形成されている。つまり、左右方向の各調整用孔４４は、突起部５４の列数分（ここでは、２列分）で１組となる複数組の孔対を構成している。そして、左右方向の各組の調整用孔４４同士の間隔は、左右方向の突起部５４同士の間隔と同じ値に設定されている。
【００６０】
このようなサイドガイド調整機構４０は、サイドガイド５１を左右方向にずらした場合に、各突起部５４をいずれかの組の調整用孔４４の中に選択的に挿入可能な状態になる。したがって、サイドガイド調整機構４０は、サイドガイド５１の左右方向の位置を調整（変更）することができる。
【００６１】
ただし、調整用孔４４や突起部５４の行数や列数は、運用に応じて適宜変更することができる。また、これらの数を変更した場合に、各突起部５４に対応する調整用孔４４の孔対の組み合わせは、変化する。
【００６２】
また、本実施形態では、「引っ掛け孔４５」は、下方平坦部４３の上面４３ａから下面４３ｂに貫通するように形成されている（図８（ｂ）参照）。ここでは、３個の引っ掛け孔４５がロアガイド４１に形成されているものとして説明する（図８（ｂ）参照）。また、３個のフック部５５がサイドガイド５１の下面５２ｂに形成されているものとして説明する（図１０（ｂ）参照）。ただし、引っ掛け孔４５やフック部５５の個数は、運用に応じて適宜変更することができる。
【００６３】
サイドガイド５１は、突起部５４を調整用孔４４の中に挿入させた状態で、前後方向（図６に示す例では、後方向）に摺動させることができる。そして、サイドガイド５１は、このような操作を行うことにより、図６に示すように、サイドガイド５１のフック部５５を、ロアガイド４１の引っ掛け孔４５と係合させることができる。
【００６４】
このとき、サイドガイド調整機構４０は、サイドガイド５１の突起部５４がロアガイド４１の調整用孔４４に係合することによって、サイドガイド５１の左右方向の位置を規定する。
【００６５】
また、このとき、サイドガイド調整機構４０は、サイドガイド５１の下面５２ｂ（図１０（ｂ）参照）がロアガイド４１の下方平坦部４３の上面４３ａ（図８（ａ）参照）に当接するとともに、サイドガイド５１のフック部５５がロアガイド４１の引っ掛け孔４５に係合することによって、サイドガイド５１の上下方向の位置を規定する。
【００６６】
また、このとき、サイドガイド調整機構４０は、サイドガイド５１のフック部５５の鉤部分の内側に形成された前端面がロアガイド４１の下方平坦面部４３の前端部分に突き当たることによって、サイドガイド５１の前後方向の位置を規定する。
その結果、サイドガイド５１は、ロアガイド４１に強固に取り付けられる。
【００６７】
＜ロアガイドの詳細な構成＞
以下、図７〜図８を参照して、ロアガイド４１の詳細な構成につき説明する。図７〜図８は、それぞれ、ロアガイド４１の構成を示す図である。図７（ａ）〜図７（ｃ）は、それぞれ、左斜め上方向、前方向、左方向から見た、左側のロアガイド４１Ｌの構成を示している。また、図８（ａ）及び図８（ｂ）は、それぞれ、右斜め上方向から見た左側のロアガイド４１Ｌの構成、及び、左側のロアガイド４１Ｌを図８（ａ）に示すＸ２−Ｘ２線に沿って切断して得られる断面の形状を示している。なお、右側のロアガイド４１Ｒは、左側のロアガイド４１Ｌの左右を逆にした構成になっている。
【００６８】
図７〜図８に示すように、ロアガイド４１は、上下方向に高低差を付けて配置された２つの平坦面４２ａ，４３ａを備えている。以下、平坦面４２ａを「上方平坦面４２ａ」と称し、平坦面４３ａを「下方平坦面４３ａ」と称する。また、上方平坦面４２ａが形成されている部位４２を「上方平坦面部４２」と称し、下方平坦面４３ａが形成されている部位４３を「下方平坦面部４３」と称する。
【００６９】
上方平坦面４２ａは、ロアガイド４１が収容部３３の内部に配置されたときに、媒体走行面３６と同一面になるように形成されている。上方平坦面４２ａは、紙幣と接触する媒体接触面として機能する。
【００７０】
下方平坦面部４３ａは、上方平坦面４２ａよりも下方に配置されている。下方平坦面４３ａは、サイドガイド５１が取り付けられるサイドガイド取付面として機能する。
【００７１】
下方平坦面４３ａには、調整用孔４４と引っ掛け孔４５とが形成されている。
引っ掛け孔４５の周囲には、下方平坦面４３ａの強度を補強するための補強部４６が、下方平坦面４３ａから上方向に突出するように形成されている。本実施形態では、補強部４６は、下方平坦面部４３の引っ掛け孔４５の周囲の部分を上方向に折り曲げることによって形成されているものとして説明する。補強部４６の高さは、上方平坦面４２ａと下方平坦面部４３ａとの高低差（図７（ｂ）参照）よりも低くなっている。
【００７２】
＜サイドガイドの詳細な構成＞
以下、図９〜図１１を参照して、サイドガイド５１の詳細な構成につき説明する。図９〜図１０は、それぞれ、サイドガイド５１の構成を示す図である。図１１は、サイドガイド５１の端部の構成を示す図である。図９（ａ）及び図９（ｂ）は、それぞれ、左斜め上方向から見た左側のサイドガイド５１Ｌの構成、及び、左側のサイドガイド５１Ｌの前端部分の構成を示している。また、図１０（ａ）〜図１０（ｄ）は、それぞれ、上方向、右方向、下方向、図１０（ｂ）に示す矢印Ａ方向から見た左側のサイドガイド５１Ｌの構成を示している。また、図１０（ｅ）は、左側のサイドガイド５１Ｌを図１０（ａ）に示すＸ３−Ｘ３線に沿って切断して得られる断面の形状を示している。また、図１１は、左側のサイドガイド５１Ｌを図１０（ａ）に示すＸ４−Ｘ４線に沿って切断して得られる断面の形状を示している。なお、右側のサイドガイド５１Ｒは、左側のサイドガイド５１Ｌの左右を逆にした構成になっている。
【００７３】
図９〜図１０に示すように、サイドガイド５１は、水平方向に延在する水平部５２と水平部５２から垂直方向に突出する垂直部５３とを備えており、略Ｌ字状の形状を呈している。
【００７４】
水平部５２の上面５２ａは、紙幣と接触する媒体接触面として機能する。また、水平部５２の下面５２ｂは、ロアガイド４１の下方平坦面４３ａと当接するロアガイド当接面として機能する。
【００７５】
紙幣は、水平部５２の上面５２ａの上を走行する。本実施形態では、水平部５２の上面５２ａには、紙幣との摩擦を軽減するための段差部（レール）が形成されている（図９（ｂ）参照）。また、紙幣は、垂直部５３の収納空間ＳＰに臨む側に形成された平坦面５３ａによって左右方向の位置が規制されている。以下、平坦面５３ａを「横方向規制面５３ａ」と称する。
【００７６】
水平部５２の上面５２ａから下面５２ｂまでの厚さは、ロアガイド４１の上方平坦面４２ａと下方平坦面４３ａとの高低差（図７（ｂ）参照）と同等の厚さになっている。
垂直部５３の高さは、押板３８（図４参照）に衝突しない高さになっている。
【００７７】
本実施形態では、垂直部５３の後端部分は、水平部５２よりも長く形成されている（図９（ａ）参照）。そして、垂直部５３の後端部分は、分離部３９（図４参照）の内部に入り込むように配置される。これにより、媒体収納庫１１は、分離部３９が紙幣を搬送路８（図１参照）に繰り出す際に、紙幣が垂直部５３の横方向規制面５３ａよりも外側に出てしまい、その結果、紙幣が斜行してしまうことを防止している。そのため、媒体収納庫１１は、紙幣を搬送路８（図１参照）に良好な状態で安定して繰り出すことができる。
【００７８】
水平部５２の下面５２ｂには、突起部５４（図１０（ｂ）参照）とフック部５５（図１０（ｂ）参照）とが形成されている。
突起部５４の幅は、突起部５４をロアガイド４１の調整用孔４４（図７（ｂ）参照）の中に挿入することができるように、調整用孔４４の幅と同等か若干短い幅になっている。また、突起部５４の長さと高さは、突起部５４を調整用孔４４に係合させることができる程度の長さと高さになっている。
一方、フック部５５の幅は、フック部５５をロアガイド４１の引っ掛け孔４５に係合させることができる程度の幅になっている。また、フック部５５の長さは、フック部５５を引っ掛け孔４５の中に挿入させることができるとともに、フック部５５を引っ掛け孔４５に係合させることができる程度の長さになっている。また、フック部５５の鉤部分の高さ（径）は、ロアガイド４１の下方平坦面部４３の厚さ（すなわち、図７（ｂ）に示す上面４３ａから下面４３ｂまでの距離）と同等の高さになっている。
【００７９】
サイドガイド５１は、突起部５４が調整用孔４４の中に挿入された状態で、フック部５５が引っ掛け孔４５（厳密には、引っ掛け孔４５の周囲部分）に係合することによって、ロアガイド４１の下方平坦面４３ａ（図７（ａ）参照）の上に取り付けられる。
【００８０】
サイドガイド５１のフック部５５の鉤部分の周囲には、ロアガイド４１の補強部４６（図７（ａ）参照）を受け入れるための切欠部５６（図１０（ｂ）参照）が形成されている。切欠部５６は、サイドガイド５１の下面５３ｂの左右方向の全域に亘って形成されている。切欠部５６の長さと高さは、ロアガイド４１の補強部４６（図７（ａ）参照）を受け入れることができる程度の長さと高さになっている。
【００８１】
サイドガイド５１は、前端部及び後端部のいずれか一方又は双方に、上下方向に回動する回動部５７（図９（ｂ）及び図１１参照）を備えている。本実施形態では、回動部５７がサイドガイド５１の水平部５２の前端部に設けられているものとして説明する。
【００８２】
図１１に示すように、回動部５７は、薄肉状に形成されており、回動部５７の周囲に形成された厚肉状の部位５８を回動支点にして、上下方向（矢印Ａ５７ａ及び矢印Ａ５７ｂの方向）に回動する構成になっている。以下、部位５８を「回動支点５８」と称する。
【００８３】
回動部５７は、先端に、上方に突出する部位５７ａと、下方に突出する部位５７ｂとを備えている。部位５７ａは、作業者が指等を引っ掛けて回動部５７を操作する操作部として機能する。以下、部位５７ａを「操作部５７ａ」と称する。部位５７ｂは、その先端に形成された平坦面で周囲の部材と当接する当接部として機能する。以下、部位５７ｂを「当接部５７ｂ」と称する。
【００８４】
回動部５７の周囲には、回動部５７を保護するための保護部５９が配置されている。保護部５９は、板状に形成されている。保護部５９は、作業者が回動部５７の操作部５７ａを操作し易いように、先端側が低くなるように傾斜した形状になっている。サイドガイド調整機構４０は、保護部５９によって、意図せぬ外力が回動部５７に加わることを防止して、保護部５９が破損することを防止することができる。
【００８５】
図１１に示すように、容器部３３の内部の底には、溝３７ａ，３７ｂが形成されている。溝３７ａは、回動部５７の当接部５７ｂが入り込む部位である。溝３７ａの前端側に形成された平坦面１３７は、回動部５７の当接部５７ｂの先端面に突き当たる突当部として機能する。溝３７ｂは、フック部５５等が入り込む部位である。容器部３３の溝３７ａよりも前方の部分は、肉厚状の肉厚部３３ａとなっている。
【００８６】
＜サイドガイド調整機構の動作＞
以下、主に、図７（ａ）、図１０（ｂ）、及び、図１１を参照して、サイドガイド調整機構４０の動作につき説明する。
【００８７】
サイドガイド調整機構４０は、作業者が以下の操作を行うことにより、サイドガイド５１の位置の調整や取り付けを容易に行うことができる。
【００８８】
まず、作業者は、媒体収納庫１１に収納される紙幣のサイズに応じて、サイドガイド５１の突起部５４に係合させる調整用孔４４を複数個の中から選択し、突起部５４を選択された調整用孔４４の中に挿入させる。この状態では、回動部５７の当接部５７ｂは、容器部３３の肉厚部３３ａの上に乗り上げた状態になっている。
【００８９】
次に、作業者は、その状態で、サイドガイド５１を前方向（図１１に示す矢印Ａ５１ａの方向）に摺動させる。このとき、サイドガイド５１のフック部５５が、ロアガイド４１の引っ掛け孔４５と係合する。これによって、サイドガイド５１は、ロアガイド４１に取り付けられる。
【００９０】
このとき、容器部３３の肉厚部３３ａの上に乗り上げていた回動部５７の当接部５７ｂが、溝３７ａの中に入り込む。これにより、サイドガイド５１は、回動部５７の当接部５７ｂの先端面が溝３７ａの平坦面１３７に突き当たる状態になる。また、サイドガイド５１は、フック部５５の鉤部分の内側に形成された前端面がロアガイド４１の下方平坦面部４３の前端部分に突き当たる状態になる。
【００９１】
したがって、このとき、サイドガイド５１は、回動部５７の当接部５７ｂの先端面とフック部５５の鉤部分の内側の前端面とが同時に周囲の部材に突き当たった状態になる。そのため、サイドガイド５１は、前後方向に移動させることが不能な状態になる。本実施形態では、サイドガイド調整機構４０は、図１１に示す距離Ｌ５５と距離Ｌ５６とをほぼ同じ値に設定することによって、このような状態を実現している。なお、「距離Ｌ５５」は、回動部５７の当接部５７ｂの先端面からフック部５５の鉤部分の内側の前端面までの距離である。また、「距離Ｌ５６」は、溝３７ａの平坦面１３７からロアガイド４１の引っ掛け孔４５の後端側の平坦面までの距離である。
【００９２】
また、サイドガイド調整機構４０は、作業者が以下の操作を行うことにより、サイドガイド５１の取り外しを容易に行うことができる。ここでは、サイドガイド５１がロアガイド４１に取り付けられているものとして説明する。
【００９３】
まず、作業者は、回動部５７の操作部５７ａを矢印Ａ５７ａの方向に回動させる。このとき、回動部５７の当接部５７ｂが回動支点５８を中心にして矢印Ａ５７ａの方向に回動する。これにより、回動部５７の当接部５７ｂの先端面が溝３７ａの平坦面１３７から離れる。その結果、サイドガイド５１は、前後方向に移動させることが可能な状態になる。
【００９４】
次に、作業者は、サイドガイド５１を後方向（図１１に示す矢印Ａ５１ａとは逆の方向）に摺動させる。このとき、サイドガイド５１のフック部５５とロアガイド４１の引っ掛け孔４５との係合が解除される。これによって、サイドガイド５１は、ロアガイド４１から取り外される。
【００９５】
なお、サイドガイド調整機構４０は、仮に、サイドガイド５１の位置の調整や取り付けを行っていないときに、意図せぬ外力Ｆが回動部５７に加わることがあったとしても、回動部５７を矢印Ａ５７ｂ（図１１参照）の方向に回動させる。矢印Ａ５７ｂの方向は、回動部５７の当接部５７ｂを溝部３７ａの平坦面１３７に食い込ませる方向である。そのため、サイドガイド調整機構４０は、仮に、操作者が操作中に誤ってサイドガイド５１に触れる等してしまうことがあったとしても、サイドガイド５１がロアガイド４１から外れることを防止することができる。
【００９６】
このようなサイドガイド調整機構４０は、サイドガイド５１の突起部５４をロアガイド４１の調整用孔４４に係合させることにより、サイドガイド５１の左右方向の位置を規定している。また、サイドガイド調整機構４０は、サイドガイド５１のフック部５５をロアガイド４１の引っ掛け孔４５に係合させることにより、サイドガイド５１の上下方向の位置を規定している。また、サイドガイド調整機構４０は、サイドガイド５１の回動部５７の当接部５７ｂの先端面を容器部３３の平坦面１３７に当接させることにより、サイドガイド５１の前後方向の位置を規定している。これにより、サイドガイド調整機構４０は、ドライバー等の工具を用いることなく、サイドガイド５１の左右方向の位置の調整や取り付けを容易に行うことができる。
【００９７】
このようなサイドガイド調整機構４０は、換言すれば、以下のような構成になっている。
すなわち、ロアガイド４１及びロアガイド４１を支持する容器部３３のいずれか一方又は双方は、サイドガイド５１の左右方向の位置を規制する左右方向規制部（調整用孔４４）と、サイドガイド５１の上下方向の位置を規制する上下方向規制部（引っ掛け孔４５）と、サイドガイド５１の前後方向の位置を規制する前後方向規制部（容器部３３の平坦面１３７）とを備える構成となっている。また、サイドガイド５１は、左右方向規制部（調整用孔４４）に係合する左右方向係合部（突起部５４）と、上下方向規制部（引っ掛け孔４５）に係合する上下方向係合部（フック部５５）と、前後方向規制部（容器部３３の平坦面１３７）に係合する前後方向係合部（回動部５７の当接部５７ｂの先端面）とを備える構成となっている。
【００９８】
以上の通り、本実施形態に係る媒体収納庫１１によれば、工具を用いることなく、サイドガイド５１の位置の調整やサイドガイド５１のロアガイド４１への取り付けを容易に行うことができる。
また、媒体収納庫１１によれば、サイドガイド５１の位置の調整を可能な限り簡略化した構成になっているため、装置に関する知識のない人物であっても、サイドガイドの位置の調整や取り付けの作業時間を短縮したり、サイドガイドの取り付けミスを低減したりすることができる。
また、媒体収納庫１１によれば、ねじ等の固定部材が不要であるため、部品の数を削減することができる。
【００９９】
なお、本発明は、前記した実施形態に限定されることなく、本発明の要旨を逸脱しない範囲で種々の変更や変形を行うことができる。
【０１００】
例えば、前記した実施形態は、本発明の要旨を分かり易く説明するために詳細に説明したものである。そのため、本発明は、必ずしも説明した全ての構成を備えるものに限定されるものではない。また、本発明は、実施形態の構成に他の構成を追加したり、置き換えたりすることができる。また、本発明は、実施形態の構成から一部の構成を削除することができる。
【０１０１】
例えば、本発明は、キャッシュディスペンサ（ＣＤ）や現金自動預け払い機（ＡＴＭ）等の現金取扱装置だけでなく、発券機や、その他の装置に利用することができる。
【０１０２】
また、例えば、ロアガイド４１は、図１２に示すロアガイド４１Ａのように変形することができる。図１２は、変形例に係るロアガイド４１Ａの構成を示す図である。図１２に示すように、ロアガイド４１Ａは、前記した実施形態のロアガイド４１（図７（ａ）参照）と比較すると、前端部側に、延長部分４７を備えており、突当用孔４８が延長部分４７に形成されている点で、相違している。突当用孔４８の前端側に形成された平坦面は、容器部３３の溝３７ａの平坦面１３７（図１１参照）の代わりに、回動部５７の当接部５７ｂの先端面に突き当たる突当部として機能する。サイドガイド調整機構４０は、変形例に係るロアガイド４１Ａを用いることにより、溝３７ａを容器部３３に形成しなくともよい構成にすることができる。
【０１０３】
また、例えば、前記した実施形態では、ロアガイド４１Ｒ，４１Ｌは、別体の部材として構成されている。しかしながら、ロアガイド４１Ｒ，４１Ｌは、一体の部材として構成することができる。
また、例えば、ロアガイド４１は、容器部３３と一体に形成することができる。
【符号の説明】
【０１０４】
１    媒体取扱装置
２    収納ユニット
３    束搬送ユニット
４    搬送機構
５ａ    上ベルト
５ｂ    下ベルト
６    ラッセル板
７    可動搬送ベルト
８    搬送路
１１（１１ａ，１１ｂ，１１ｃ，１１ｄ），１１１，１１１Ａ，１１１Ｂ，１１１Ｃ    媒体収納庫
１２    鑑別部
１３    集積部
１３ｏｐ，１６ｏｐ    開口部
１４    ステージ
１５    リジェクト収納庫
１６    取り込み収納庫
１７    出金口
１８    シャッタ
２１    出金ルート
２２    リジェクトルート
２３    集積ルート
２４    放出ルート
２９    取り込みルート
３１    筺体
３２    蓋部
３３    容器部
３３ａ    肉厚部
３４    取っ手
３５    回動支点
３６    平坦面（媒体走行面）
３７ａ，３７ｂ    溝
３８    押板
３９    分離部
４０    サイドガイド調整機構
４１（４１Ｒ，４１Ｌ）    ロアガイド
４２    上方平坦面部
４２ａ    平坦面（上方平坦面、媒体接触面）
４３    下方平坦面部
４３ａ    平坦面（下方平坦面、サイドガイド取付面）
４３ｂ    下面
４４    調整用孔（左右方向規制部）
４５    引っ掛け孔（上下方向規制部）
４６    補強部
４７    延長部分
４８    突当用孔
５１（５１Ｒ，５１Ｌ）    サイドガイド
５２    水平部
５２ａ    上面（媒体接触面）
５２ｂ    下面（ロアガイド当接面）
５３    垂直部
５３ａ    平坦面（横方向規制面）
５４    突起部（左右方向係合部）
５５    フック部（上下方向係合部）
５６    切欠部
５７    回動部
５７ａ    操作部
５７ｂ    当接部（前後方向係合部）
５８    回動支点
５９    保護部
６１    アッパーガイド
１３７    平坦面（突当部、前後方向規制部）
ＳＰ    収納空間
【図１】
0006543959.tif 000002
【図２】
0006543959.tif 000003
【図３】
0006543959.tif 000004
【図４】
0006543959.tif 000005
【図５】
0006543959.tif 000006
【図６】
0006543959.tif 000007
【図７】
0006543959.tif 000008
【図８】
0006543959.tif 000009
【図９】
0006543959.tif 000010
【図１０】
0006543959.tif 000011
【図１１】
0006543959.tif 000012
【図１２】
0006543959.tif 000013